(57)【要約】    【課題】  引戸本体と引戸枠との隙間を防止しつつ引戸本体の閉止位置への移動の際の衝撃音、衝撃振動を低減し、就寝者の安眠保護と居住者に対する不快感を防止しえる引戸構造を提供すること。    【解決手段】引戸枠内で引戸本体が引き滑りにより開閉される引戸構造において、閉止時に引戸枠の縦枠に当接する引戸本体の側端面に吸着体が形成されるとともに、閉止時に前記吸着体と当接する前記引戸枠の縦枠に、前記吸着体と磁力によって引き合い吸着する吸着受体が設けられ、前記吸着受体は、少なくとも吸着体と向合う前面が弾性層で覆われ、前記吸着体、又は吸着受体は、その一方が磁石からなり、他方が前記磁石と引き合う金属、又は前記磁石と引き合う他の磁石からなることを特徴とする。【選択図】  図１
2005213869.tif 000002
【特許請求の範囲】
【請求項１】
引戸枠内で引戸本体が引き滑りにより開閉される引戸構造において、
閉止時に引戸枠の縦枠に当接する引戸本体の側端面に吸着体が形成されるとともに、閉止時に前記吸着体と当接する前記引戸枠の縦枠に、前記吸着体と磁力によって引き合い吸着する吸着受体が設けられ、
前記吸着受体は、少なくとも吸着体と向合う前面が弾性層で覆われていることを特徴とする引戸構造。
【請求項２】
前記吸着体、又は吸着受体は、その一方が磁石からなり、他方が前記磁石と引き合う金属、又は前記磁石と引き合う他の磁石からなることを特徴とする請求項１記載の引戸構造。
【請求項３】
前記吸着受体は、吸着体と引き合う磁力の大きさを調整するため、その量を増減可能に形成されていることを特徴とする請求項１又は２記載の引戸構造。
【請求項４】
前記吸着受体は、複数の棒状片で形成されるとともに、弾性体を用い形成された管状体の内部に挿入され、
前記棒状片の数の増減により、吸着受体の量を増減でき、
かつ前記管状体により前記弾性層が形成されていることを特徴とする請求項１〜３のいずれかに記載の引戸構造。
【請求項５】
前記吸着受体は、前記縦枠に形成された溝部に挿入して設けられていることを特徴とする請求項１〜４のいずれかに記載の引戸構造。
【発明の詳細な説明】
【技術分野】
【０００１】
本発明は、引戸本体と引戸枠との隙間の発生を防止でき、かつ引戸本体の閉止位置への移動の際の衝撃音、衝撃振動を低減しうる引戸構造に関する。
【背景技術】
【０００２】
引戸枠内で引戸本体が引き滑りにより開閉される引戸構造にあっては、その閉止位置へ移動する動作において、引戸本体の側端面が引戸枠の縦枠に衝突した反動により押し戻されて隙間が発生することが多い。そしてこの場合、該隙間から音が漏れて遮音性能が低下し、また気密性能が損なわれるため空調効果が低下するとともに、換気装置による計画換気の効果が損なわれるなどの問題が生じる。
【０００３】
この問題を解消するため、引戸本体が走行する引戸レールに板バネなどを用いた機械式のストッパーを設け、このストッパーで引戸の走行速度を減速させることにより前記衝撃を緩和し、縦枠付近で停止させるようにしていた。しかしながら、引戸を押圧してその摩擦力で減速させる方式のためストッパーの微妙な調整を必要とし、さらに引戸の走行速度にバラツキがあるため、縦枠と密着した位置に引戸本体を停止させることは、実際上困難であった。
【０００４】
そこで、図７に示すように、閉止時に互いに接する引戸枠ａの縦枠ｂに磁石ｃを設けるとともに、引戸本体ｄの縦側面に前記磁石ｃに磁力により吸着される強磁性体ｅを設けることにより、引戸本体ｄが縦枠ｂに対して密着した位置に閉止でき、引戸本体ｄを勢いよく閉めた場合にも引戸本体ｄと縦枠ｂの間に隙間の発生を防止することが提案されている（例えば、特許文献１参照）。
【０００５】
【特許文献１】特開９−２９１７５１号公報
【発明の開示】
【発明が解決しようとする課題】
【０００６】
しかしながら、磁石と鉄、ニッケル、コバルトなどの金属からなる強磁性体は双方共その表面が硬い。従って、引戸本体の側端面と引戸枠の縦枠との衝突時に衝撃音が発生し、これが騒音となって、就寝者の安眠への障害、テレビ、音楽の視聴を妨げ、不快感を与えることが多い。さらに前記衝撃力が大きい場合、前記衝撃音に加えて衝撃振動が発生し、これが柱、梁などの建物構造体を伝播し、居住者に不快感を与えるという問題があった。
【０００７】
本発明は、前記した引戸構造が有する問題点を解消し、引戸本体の側端面に吸着体が形成されるとともに、閉止時に該引戸本体の吸着体と当接する前記引戸枠の縦枠に、前記吸着体を磁力によって引き合い吸着する吸着受体が設けられ、前記吸着受体は、少なくとも吸着体と向合う前面が弾性層で覆われていることを基本とし、引戸本体と引戸枠との隙間を防止しつつ引戸本体の閉止位置への移動の際の衝撃音、衝撃振動を低減し、就寝者の安眠保護と居住者に対する不快感を防止しえる引戸構造の提供を課題としている。
【課題を解決するための手段】
【０００８】
前記目的を達成するために、請求項１記載の発明は、引戸枠内で引戸本体が引き滑りにより開閉される引戸構造において、閉止時に引戸枠の縦枠に当接する引戸本体の側端面に吸着体が形成されるとともに、閉止時に前記吸着体と当接する前記引戸枠の縦枠に、前記吸着体と磁力によって引き合い吸着する吸着受体が設けられ、前記吸着受体は、少なくとも吸着体と向合う前面が弾性層で覆われていることを特徴とする。
【０００９】
また請求項２記載の発明は、前記吸着体、又は吸着受体は、その一方が磁石からなり、他方が前記磁石と引き合う金属、又は前記磁石と引き合う他の磁石からなることを特徴とする請求項１記載の引戸構造である。
【００１０】
また請求項３記載の発明は、前記吸着受体は、吸着体と引き合う磁力の大きさを調整するため、その量を増減可能に形成されていることを特徴とする請求項１又は２記載の引戸構造である。
【００１１】
また請求項４記載の発明は、前記吸着受体は、複数の棒状片で形成されるとともに、弾性体を用い形成された管状体の内部に挿入され、前記棒状片の数の増減により、吸着受体の量を増減でき、かつ前記管状体により前記弾性層が形成されていることを特徴とする請求項１〜３のいずれかに記載の引戸構造である。
【００１２】
また請求項５記載の発明は、前記吸着受体は、前記縦枠に形成された溝部に挿入して設けられていることを特徴とする請求項１〜４のいずれかに記載の引戸構造である。
【発明の効果】
【００１３】
本発明は叙上の如く、吸着受体は、少なくとも吸着体と向合う前面が弾性層で覆われているので、引戸本体を勢いよく閉めた場合にも、吸着体と吸着受体の衝突による衝撃が弾性層で吸収緩和されるため、衝撃音を減じ就寝者の安眠妨害、テレビ、音楽の視聴の妨げとなることがない。また前記衝撃が建物構造体を伝播して不快感を生じさせることも防止しうる。
【００１４】
また請求項２記載の発明のように、吸着体、又は吸着受体は、その一方が磁石からなり、他方が前記磁石と引き合う金属、又は前記磁石と引き合う他の磁石からなると、前記吸着体と吸着受体が磁石によって確実に引き合い吸着する。
【００１５】
また請求項３記載の発明のように、吸着受体は、その量を増減可能に形成されると、引戸本体と引戸枠との吸着力を調整して引戸本体の寸法、重さなどの諸条件に適合させることができる。
【００１６】
また請求項４記載の発明のように、前記吸着受体は、複数の棒状片で形成されるとともに、弾性体を用い形成された管状体の内部に挿入され、前記棒状片の数の増減により、吸着受体の量を増減でき、かつ前記管状体により前記弾性層が形成されている場合、吸着受体の量を容易に増減でき、取付作業も簡単に行える。
【００１７】
また請求項５記載の発明のように、吸着受体は、前記縦枠に形成された溝部に挿入して設けられると、吸着受体が引戸枠の内側へ大きく突出することがない。そのため吸着受体が出入の障害となることがなく、見栄えも向上する。
【発明を実施するための最良の形態】
【００１８】
以下、本発明の実施の一形態を、図示例とともに説明する。図１は引戸構造１の横断面図、図２はその縦断面図、図３は要部斜視図である。本形態の引戸構造１は、引戸枠２と、この引戸枠２の内部で引き滑りにより開閉される引戸本体３とを含み構成されたものを例示している。
【００１９】
前記引戸枠２は、一対の縦枠２Ａ、２Ａと、この縦枠２Ａの上端間に配された上枠２Ｂとを有する。前記縦枠２Ａは、壁２１の端部に接着、ビスなどにより固着される。そしてこの壁２１は間柱２１ａと、その両側に添着された壁板２１ｂから構成される。また上枠２Ｂは、下方に向いて開口する凹部２２を有する断面コ字型をなし、天井２３に上部が埋設される状態で固着されている。
【００２０】
引戸枠２を構成する縦枠２Ａおよび上枠２Ｂは、松、杉、ラワンなどの無垢材、合板、パーティクルボード、中質繊維板（ＭＤＦ）、単板積層材（ＬＶＬ）などの木質系材料を用い、あるいはプラスチック材料の成形により製造される。そしてその表面は、塗装、突き板・化粧シートの添着などにより、必要に応じ化粧される。
【００２１】
図２に示すように、前記上枠２Ｂの凹部２２の内部に固着された断面コ字型の一対の上レール２４、２４に、吊車２５を介し引戸本体３、３が走行可能に支持される。このように、一対の上レール２４、２４に各々支持された一対の引戸本体３、３は、引戸枠２内で引き滑りにより開閉される。またこのとき、床部Ｆに固着された断面Ｌ字状の下レール２６が、引戸本体３の下端面に形成された溝２７に挿入され、これにより引戸本体３の引き滑り時に生じる横揺れを防止し、引戸枠２内での開閉動作をスムースとしている。
【００２２】
このように本形態の引戸本体３は、上枠２Ｂの上レール２４により支持される上吊方式を採用するが、引戸本体３の下端部に戸車を設けて下レール上を走行する戸車方式により引き滑り可能とすることでもよい。
【００２３】
前記引戸本体３は、縦フレーム材、横フレーム材を矩形状に枠組みした外周枠の内側に補強桟を架け渡し形成された木製のパネルフレームの両側に、化粧板を添着したフラッシュパネルで形成される。そしてこの化粧板としては合板など基板上に、ナラ、サクラ、チーク、ケヤキなどを０．２〜０．６ｍｍ程度にスライスした突き板、又はポリエチレン、ポリプロピレン、エチレン酢ビ樹脂（ＥＶＡ）などオレフィン系樹脂、メラミン樹脂、ポリエステル樹脂などを用いた化粧シートを添着したものが用いられる。また前記フラッシュパネルのほか無垢木材、修正木材を枠状に加工し組立てた框組みの構造とすることもよい。更には、鋼板を折り曲げて形成し、又はプラスチック、アルミニウムの押出し成形材を組立てて形成することもできる。
【００２４】
図１、３に示すように、閉止時に前記縦枠２Ａに接する引戸本体３の側端面は、吸着体４が形成される。また閉止時に前記吸着体４と当接する引戸枠２の縦枠２Ａに、前記吸着体４と磁力によって引き合い吸着する吸着受体５が設けられる。すなわち、引戸本体３と縦枠２Ａは、磁力によって引き合い吸着することにより、隙間を生じることなく互いに密着した状態で閉止される。
【００２５】
本形態では、吸着受体５は磁石からなり、吸着体４は磁石と引き合う金属からなる。そして前記磁石と引き合う金属は、本形態では鉄を用いるが、この他ニッケル、コバルトなどを用いることができる。前記磁石は、一般に磁石として用いられる磁力を持つ鋼を用い、或いは合成樹脂に磁力鋼粉を混合して製造されるマグネットを用いることもできる。
【００２６】
また、前記本形態の場合とは反対に、吸着体４を磁石で構成し、かつ吸着受体５を磁石と引き合う金属で構成することでもよい。さらには、吸着体４としてＮ極を表側に配した磁石を引戸本体３の側端面に設け、吸着受体５としてＳ極を表面に配した磁石を引戸枠２の縦枠２Ａに設け、これにより吸着体４と吸着受体５を磁力によって吸着させることもできる。或いは、磁石として電磁石を用いることもできる。
【００２７】
本形態の吸着体４は、図３に示すように、引戸本体３の側端面と略同幅かつ全長と略同長さの鉄を用いた帯板４ａで形成され、引戸本体３の側端面に接着、ビスなどの固着具により固着される。本形態の吸着体４は、引戸本体３の側端面に全長に亘り連続して形成されるが、複数の帯板片を等間隔を隔てて隔設することもできる。また引戸本体３全体が鉄で形成される場合、該引戸本体３の側端面の部分が吸着体４を構成する。
【００２８】
本形態の吸着受体５は、図３、４に示すように、長さが５０〜３００ｍｍ程度、幅が１０〜３０ｍｍ程度、厚さが３〜１０ｍｍ程度の磁石からなる扁平な棒状片５Ａで形成される。そしてこの棒状片５Ａは、複数個が、横断面矩形状の空所７ａを内部に有する扁平な角管状をなす管状体７の内部に挿入され、引戸枠２の縦枠２Ａに取り付けられる。
【００２９】
前記管状体７は、天然ゴム、スチレン・ブタジエンゴム、クロロプレンゴム、イソプレンゴムなどの合成ゴム、オレフィン系、ウレタン系、ポリエステル系その他の熱可塑性エストラマー、エチレン- 酢ビ共重合樹脂（ＥＶＡ）などの弾性体を用いて形成される。このように、前記吸着受体５は、吸着体と向合う前面が管状体７からなる弾性層６で覆われるため、引戸本体３を閉止する時、吸着体４と吸着受体５との衝突による衝撃が弾性層６で緩和され、衝撃音の発生を抑制できる。その結果夜間就寝時の安眠を妨害するこなく、テレビ、音楽などの鑑賞を妨げることもない。さらには、前記衝突による震動が建物構造体を伝播し、他の空間において例えば照明器具、食器棚の揺れを起すなどの不快感を与えることもない。
【００３０】
前記弾性層６は、例えば前記合成ゴムを用いた弾性テープを、引戸枠２に設けた吸着受体５の引戸本体３に向く前面にのみ接着して形成することでもよい。
【００３１】
本形態の管状体７は、図４に示すように、その裏面側に上下に連続した切れ目７ｂが設けられる。そして前記管状体７は、弾性に抗して切れ目７ｂ箇所で左右に押し広げることにより、内部の空所７ａに前記棒状片５Ａを挿入し、或いは出し入れしうる。そして、図５に示すように、この出し入れにより前記管状体７内部に挿入される棒状片５Ａの数を増減して、吸着受体５の量を増減調整できる。引戸本体３の大きさ、重さ或いは、引戸本体３の使用箇所など諸条件により、前記吸着体４と吸着受体５とが引き合い吸着するために必要となる磁力の大きさが異なる。本形態の引戸構造１は、叙上の如く吸着受体５の増減により、前記磁力の大きさを任意に調整しえ、引戸本体３と引戸枠２の縦枠２Ａとが前記諸条件に合う好適な大きさの磁力で引き合い吸着することができる。
【００３２】
なお、前記管状体７は、その内部の空所７ａに前記切れ目７ｂを介して棒状片５Ａが挿入され、或いは棒状片５Ａを出し入れしてその数が増減調整され、図４に示すように、両面粘着テープ２８により前記切れ目７ｂが封止される。そして前記管状体７内に挿入された吸着受体５は、前記面粘着テープ２８の裏面の粘着剤により引戸枠２の縦枠２Ａに取付られる。
【００３３】
また前記管状体７に切れ目７ｂを設けることなく、管状体７の端部から棒状片５Ａを順次内部の空所７ａに挿入し、或いは出し入れすることによりその数を増減することでもよい。
【００３４】
本形態の吸着受体５は、図３に示すように、引戸枠２の縦枠２Ａに上下に亘り連続して形成された溝部８内に挿入して設けられる。この溝部８の深さは、本形態では、吸着受体５を内部に挿入した管状体７の厚さ寸法に比べて少しだけ小さく形成される。従って、吸着受体５、管状体７が引戸枠２の内側に大きく突出しないため、引戸枠２内の出入の障害となることがなく、かつ見栄えを向上できる。
【００３５】
図６（Ａ）（Ｂ）は、他の実施形態を例示している。以下異なる内容のみを説明し、それ以外は図中に表れた同等の構成に同じ符号を付すのみとし、説明を省略している。
【００３６】
本形態の吸着受体５は、引戸枠２の縦枠２Ａに形成された溝部８内に挿入されて、かつバネ性に抗して伸長可能な蛇腹状の伸縮支持部２９を介して前記溝部８の底部に取り付けられる。前記伸縮支持部２９は、吸着受体５を覆う管状体７と、溝部８の底部に固着される取付片３０との間に配される。そして天然ゴム、クロロプレンゴムその他の合成ゴム、オレフィン系その他の熱可塑性エストラマー、エチレン- 酢ビ共重合樹脂（ＥＶＡ）などの弾性体を用い、前記管状体７、取付片３０と一体に成形される。
【００３７】
伸縮支持部２９は、図６（Ａ）に示すように、通常は折り畳まれた状態をなすため、吸着受体５は、溝部８の内部に位置して引戸本体３の吸着体４に吸着する。しかし、図６（Ｂ）に示すように、引戸本体３が引戸枠２の縦枠２Ａとの間に隙間Ｓを隔てて閉止する際、吸着受体５と吸着体４が引き合う磁力により伸縮支持部２９が伸長し、吸着受体５と吸着体４とが吸着する。その結果、前記隙間Ｓが封止されて、音、空気、光などの漏れがなくなる点で好ましい。
【００３８】
また、図６（Ｂ）に示すように、引戸枠２の縦枠２Ａに向けて移動する引戸本体３が、引戸枠２の縦枠２Ａに当接する直前の位置にあるとき、吸着受体５と吸着体４が引き合う磁力により伸縮支持部２９が伸長することにより吸着受体５と吸着体４とが吸着し、さらに伸縮支持部２９の弾性により引戸本体３が引戸枠２の縦枠２Ａに向けて引寄せられ、図６（Ａ）に示すように、引戸本体３が引戸枠２の縦枠２Ａと隙間なく当接した位置で確実に停止することができる点で好ましい。
【図面の簡単な説明】
【００３９】
【図１】本発明の一実施の形態を例示する水平断面図である。
【図２】その縦断面図である。
【図３】その要部斜視図である。
【図４】吸着受部を説明する拡大斜視図である。
【図５】吸着受部の装着状態を示す縦断面図である。
【図６】他の実施形態を例示し、（Ａ）（Ｂ）は異なる状態を示す要部断面図である。
【図７】従来例を示す水平断面図である。
【符号の説明】
【００４０】
１      引戸構造
２      引戸枠
２Ａ    縦枠
３      引戸本体
４      吸着体
５      吸着受体
５Ａ    棒状片
６      弾性層
７      管状体
８      溝部
【図１】
2005213869.tif 000003
【図２】
2005213869.tif 000004
【図３】
2005213869.tif 000005
【図４】
2005213869.tif 000006
【図５】
2005213869.tif 000007
【図６】
2005213869.tif 000008
【図７】
2005213869.tif 000009